(57)【要約】【課題】吊り下げ器具の取付作業を、効率的かつ安全に行うことができ、取付部分の信頼性向上を図ることもできる取付作業用具を提供する。【解決手段】取付作業用具２０は、伸縮機構を備えた延長部材２１と、吊り下げ器具１を着脱可能に保持するため延長部材２１の先端部２１ａに連結部３２を介して連結された器具保持部２２と、取付対象面を払拭するため延長部材２１の器具保持部２２側の延長線２１ｘ上に配置された払拭手段２３と、払拭手段２３を器具保持部２２よりも延長部材２１の基端部２１ｂ寄りの位置へ移動させるアーム部材２４など備えている。アーム部材２４の先端部に払拭手段２３が設けられ、アーム部材２４の基端部は支軸２６を介して連結部３２に旋回可能に軸支され、アーム部材２４を係脱可能に固定する係止部材２７が設けられている。【選択図】        図１
2004236478.tif 000002
【特許請求の範囲】
【請求項１】
着脱可能に保持した吊り下げ器具を取付対象面に貼着するための器具保持部と、前記取付対象面を払拭するための払拭手段とを備えたことを特徴とする取付作業用具。
【請求項２】
前記器具保持部に保持された吊り下げ器具を前記取付対象面に貼着するとき、その動作を妨げない位置へ前記払拭手段を移動させる待避手段を設けた請求項１記載の取付作業用具。
【請求項３】
取付対象面に貼着される吊り下げ器具を着脱可能に保持するため棒状または管状の延長部材の先端部に設けられた器具保持部と、前記取付対象面を払拭するため前記延長部材または前記器具保持部に連設され一定位置に係脱可能に固定される払拭手段と、前記器具保持部に保持された吊り下げ器具を前記取付対象面に貼着するとき、その動作を妨げない位置へ前記払拭手段を移動させる待避手段とを備えたことを特徴とする取付作業用具。
【請求項４】
前記一定位置が、前記延長部材の器具保持部側の延長線上である請求項３記載の取付作業用具。
【請求項５】
前記待避手段として、前記払拭手段を旋回可能に保持するアーム部材と、前記アーム部材を一定位置に係脱可能に固定する一時固定機構とを設けた請求項２〜４記載のいずれかに記載の取付作業用具。
【請求項６】
前記延長部材の延長方向の長さを変更するための長さ変更手段を設けた請求項３〜５のいずれかに記載の取付作業用具。
【請求項７】
前記長さ変更手段の変更動作中または変更動作完了後における前記延長部材の一部を床面に当接させた状態で前記器具保持部材に保持された吊り下げ部材の貼着面を水平保持したとき、前記床面から前記貼着面までの距離が予め設定された特定値となるように前記長さ変更手段を係脱可能に拘束する定長保持機能を設けた請求項６記載の取付作業用具。
【請求項８】
前記長さ変更手段として、
その延長方向の長さが変更可能なスライド式伸縮機構またはリンク式伸縮機構を有する前記延長部材、
互いに関節状に折曲・伸展可能に連結された複数の関節部材で形成した前記延長部材、
互いに連結・分離可能な複数の構成部材で形成した前記延長部材、
のいずれか１つ以上を設けた請求項６記載の取付作業用具。
【請求項９】
互いに連結・分離可能な複数の構成部材で形成した前記延長部材において、連結関係にある前記構成部材同士を分離したときに前記構成部材同士を繋ぐ柔軟な連結材を設けた請求項８記載の取付作業用具。
【請求項１０】
前記払拭手段の待避位置を定める拘束手段を設けた請求項２〜５記載の取付作業用具。
【請求項１１】
前記払拭手段として、塵埃吸着機能を有する払拭材と、前記払拭材が着脱可能に係止される払拭材保持部材とを設けた請求項１〜５記載の取付作業用具。
【請求項１２】
前記器具保持部に保持された吊り下げ器具からの落下物を受け止めるための捕捉部を前記器具保持部または前記延長部材に設けた請求項１〜８記載の取付作業用具。
【請求項１３】
前記特定値が０．８ｍ〜１．５ｍである請求項７記載の取付作業用具。
【発明の詳細な説明】
【０００１】
【発明の属する技術分野】
本発明は、建築物の天井部分など一般作業者の身長よりも高い位置に、ダクト吊り下げ器具などの各種器具を取り付ける際に使用する取付作業用具に関する。
【０００２】
【従来の技術】
オフィスビルや工場などの各種建築物の内部には、空調用ダクト、各種配管あるいは電気配線類などが収容されている。例えば、図２０に示すように、空調用のダクト４は、建築物の天井裏の空間部分にワイヤ３などを用いて吊り下げ状態に保持されている。この場合、ワイヤ３の上端部分は、建築物の一部をなすデッキプレート２などの保持体に固着された吊り下げ器具９１に係止されている。
【０００３】
この吊り下げ器具９１は、図２１（ａ）などに示すように、ワイヤ３などを保持する吊り下げ部５と、この吊り下げ部５をデッキプレート２に固定するための固定部６とを備え、固定部６には、接着剤８ａ，８ｂを介してデッキプレート２に貼着される接着面６ａと、この接着面６ａの周囲を囲繞して形成された粘着面６ｂと、接着面６ａと粘着面６ｂとを区画する仕切溝６ｃとが設けられている。粘着面６ｂは発泡体を基材とする粘着テープで形成され、使用前の段階では、粘着面６ｂを保護する離形紙９が貼着されている。
【０００４】
従来、吊り下げ器具９１の取り付け作業は、図２１に示すような手順で行われていた。まず、図２１（ａ）に示すように、２液混合型の変成アクリル系接着剤のＡ剤８ａを接着面６ａ上に塗布した後、図２１（ｂ）に示すように、Ａ剤８ａの上に前記接着剤のＢ剤８ｂを塗布すると、図２１（ｃ）に示すように、接着面６ａ上にＡ剤８ａとＢ剤８ｂとが積層された状態となる。
【０００５】
次に、図２１（ｄ）に示すように、粘着面６ｂを保護する離形紙９を手指Ｆで剥がして粘着面６ｂを露出させる。そして、図２１（ｅ）に示すように、脚立などに乗ってデッキプレート２付近に近づいた作業者が、係止孔１０にワイヤ３が挿通された吊り下げ器具９１の吊り下げ部５付近を手指１２で把持して粘着面６ｂなどを上に向け、図２１（ｆ）に示すように、デッキプレート２の下面に押圧すると、粘着面６ｂの粘着力によって吊り下げ器具９１はデッキプレート２に固定され、所定時間が経過すると接着剤（Ａ剤８ａおよびＢ剤８ｂ）が硬化してさらに強固に固定される。
【０００６】
この後、図２２（ａ）に示すように、吊り下げ器具９１から垂下したワイヤ３の下方を空調用ダクト４の取り付け具４ａに挿通し、圧着スリーブ１３で結束した後、ワイヤ３の端部の余分な部分をカットすれば、図２２（ｂ）に示すような状態となり、空調用ダクト４の吊り下げ作業が完了する。
【０００７】
一方、作業者が脚立などに乗り降りすることなく、天井面などに配線・配管用の支持部材を固定することのできる作業用具がある（例えば、特許文献１参照。）。
【特許文献１】
特開２００２−２５２９１１号公報（第５−７頁、第２図）
【０００８】
【発明が解決しようとする課題】
吊り下げ器具９１を取り付けるデッキプレート２は、作業者が直接手の届かない高い位置にあるため、図２１（ｅ）〜（ｆ）の工程は、脚立などを用いて取付作業を行っている。一般的な空調用ダクトの吊り下げ工事の場合、ダクト１本当たり吊り下げ器具９１が３〜４個程度使用されるため、取付作業においては、吊り下げ器具９１を取り付けるたびに、脚立への乗り降りと、ダクト吊り下げ経路に沿った脚立の移動を反復しなければならないので、多大な労力と時間を要している。
【０００９】
一方、吊り下げ器具９１の取り付け対象であるデッキプレート２の下面は塵埃や汚れなどが付着していることが多く、そのまま吊り下げ器具９１を貼着すると接着不良を生じることがある。このため、貼着前、ウエスなどを用いて塵埃などをきれいに払拭しているが、この場合も作業者が脚立に乗って払拭作業を行う必要がある。
【００１０】
したがって、一つの吊り下げ器具９１を取り付ける際には、払拭作業のための脚立への乗り降りと、貼着作業のための脚立への乗り降りと、ダクト吊り下げ経路に沿った脚立の移動を行っており、吊り下げ器具９１が多数使用される大型建築物などにおいては、これらの作業に膨大な労力と時間が費やされている。また、作業者が脚立などに乗って行う高所作業には若干の危険性が伴うことも否定できない。
【００１１】
そこで、特許文献１に記載されている作業用具を利用して、吊り下げ器具９１の取り付け作業を行うことも考えられる。しかし、これらの作業用具は、天井面などに特定器具を取り付ける機能しか有していないため、貼着作業前の払拭作業は脚立を使用して行わざるを得ない。したがって、特許文献１に記載の作業用具を利用したとしても、吊り下げ器具９１の取付作業の省力化は困難である。
【００１２】
本発明が解決しようとする課題は、空調用ダクトなどの吊り下げ用として使用される吊り下げ器具の取付作業を、効率的かつ安全に行うことができ、取付部分の信頼性向上を図ることもできる取付作業用具を提供することにある。
【００１３】
【課題を解決するための手段】
本発明の取付作業用具は、着脱可能に保持した吊り下げ器具を取付対象面に貼着するための器具保持部と、取付対象面を払拭するための払拭手段とを備えたことを特徴とする。このような構成とすることにより、払拭手段を用いて取付対象面をきれいに払拭した後、器具保持部に保持した吊り下げ器具を取付対象面に貼着すれば、払拭作業および貼着作業を連続的に行うことが可能となるため、空調用ダクトなどの吊り下げに用いられる吊り下げ器具の取付作業を効率的かつ安全に行うことができるようになり、取付部分の信頼性も向上する。
【００１４】
ここで、器具保持部に保持された吊り下げ器具を取付対象面に貼着するとき、その動作を妨げない位置へ払拭手段を移動させる待避手段を設ければ、吊り下げ器具を貼着するとき、払拭作業を終えた後の払拭手段によって妨げられることがなくなるため、作業性が向上する。
【００１５】
また、本発明の取付作業用具は、取付対象面に貼着される吊り下げ器具を着脱可能に保持するため棒状または管状の延長部材の先端部に設けられた器具保持部と、取付対象面を払拭するため延長部材または器具保持部に連設され一定位置に係脱可能に固定される払拭手段と、器具保持部に保持された吊り下げ器具を取付対象面に貼着するとき、その動作を妨げない位置へ払拭手段を移動させる待避手段とを備えたことを特徴とする。
【００１６】
吊り下げ器具を器具保持部に装着し、延長部材の基端部寄りの部分を作業者が把持して、一定位置に係脱可能に固定された払拭手段を取付対象面に当接させ、作業者が延長部材を動かして払拭手段を摺動、回動などさせれば、脚立などを用いることなく取付対象面の塵埃などを払拭することができる。そして、待避手段により、貼着動作を妨げない位置へ払拭手段を待避させた後、作業者が把持した延長部材を持ち上げ、払拭作業が済んだ取付対象面に吊り下げ器具を押し付ければ、吊り下げ器具が取付対象面に容易に貼着される。
【００１７】
この後、作業者が延長部材を下降させれば、取付対象面に貼着された吊り下げ器具から器具保持部が離脱して取付作業が完了する。このように、作業者が直接手の届かない高い位置への吊り下げ器具の取付作業を、脚立などを使用することなく、効率的かつ安全に行うことができるようになり、取付部分の信頼性も向上する。
【００１８】
この場合、前記払拭手段を係脱可能に固定する一定位置を延長部材の器具保持部材側の延長線上とすることが望ましい。これにより、当該取付作業用具の最先端部分に払拭手段が位置した状態となり、作業者が延長部材に加える力（特に軸方向の力）を直接的に払拭手段に伝えることができるようになるため、作業性が良好となる。
【００１９】
この場合、前記待避手段として、払拭手段を旋回可能に保持するアーム部材と、前記アーム部材を一定位置に係脱可能に固定する一時固定機構とを設けることが望ましい。このような構成において、一時固定機構でアーム部材を固定すれば払拭手段が一定位置に固定された状態となるため、安定した状態で払拭手段による払拭作業を行うことができる。払拭作業終了後、一時固定機構を解除してアーム部材を旋回させて払拭手段を待避させれば、払拭手段に妨げられることなく、器具保持部に保持された吊り下げ器具の貼着作業を行うことができる。
【００２０】
このように、アーム部材の旋回というシンプルかつ視認容易な動作で払拭手段の待避を行うため、払拭手段の状態を即時に確認することができ、作業性がさらに向上する。
【００２１】
ここで、延長部材の延長方向の長さを変更するための長さ変更手段を設けることが望ましい。ここで、延長部材の延長方向とは、前記器具保持部に保持された吊り下げ器具を前記取付対象面に貼着するときの貼着動作方向をいう。このような構成とすれば、取付対象面の高低に的確に対応して一連の取付作業を行うことができるようになり、不使用時の収納スペースを減少させることもできるようになる。
【００２２】
また、前記長さ変更手段の変更動作中または変更動作完了後において、この延長部材の一部を床面に当接させた状態で器具保持部材に保持された吊り下げ部材の貼着面を水平保持したとき、床面から貼着面までの距離が予め設定された特定値となるように長さ変更手段を係脱可能に拘束する定長保持機能を設けることが望ましい。
【００２３】
このような構成とすれば、長さ変更手段の変更動作中または変更動作完了後、前記状態で貼着面を水平保持したときの床面から貼着面までの距離を常に同じ特定値とすることができるようになるため、例えば、前記貼着面への接着剤塗布作業などを行う場合、安定した作業性を確保することができる。なお、定長保持機能は長さ変更手段を係脱可能に拘束するものであるため、拘束状態を解除すれば、長さ変更手段による延長部材の長さ変更動作を容易に再開することができるので、他の作業性を阻害することはない。
【００２４】
この場合、前記特定値を０．８ｍ〜１．５ｍとすれば、この延長部材の一部を床面に当接させた状態で器具保持部材に保持された吊り下げ部材の貼着面を水平保持したとき、この貼着面が、床面に起立した平均的身長の作業者にとって作業に適切な高さである作業者の胸部付近に位置することとなる。したがって、作業者はそのままの姿勢で顔を下方に若干傾けるだけで貼着面を目視できることとなり、貼着面への接着剤塗布作業などを容易に行うことができるため、作業性の向上、作業者の肉体的負担の軽減も図ることができ、汎用性も高まる。
【００２５】
また、前記長さ変更手段としては、その延長方向の長さが変更可能なスライド式伸縮機構またはリンク式伸縮機構を有する延長部材、互いに関節状に折曲・伸展可能に連結された複数の関節部材で形成した延長部材、互いに連結・分離可能な複数の構成部材で形成した延長部材のいずれか１つ以上を設けることが望ましい。
【００２６】
スライド式伸縮機構またはリンク式伸縮機構を有する延長部材はその延長方向の長さ変更を容易に行うことができ、連続的な長さの調節も可能であるため、施工現場での使い勝手に優れ、汎用性も良好である。
【００２７】
また、互いに関節状に折曲・伸展可能に連結された複数の関節部材で形成した延長部材は、関節状に屈伸させるだけで長さ変更を行うことができるので作業性に優れており、収縮させたときコンパクトになるので、持ち運びしやすい。
【００２８】
一方、互いに連結・分離可能な複数の構成部材で形成した延長部材は、予め揃えられた構成部材の個数の範囲内での長さ変更ができるだけでなく、構成部材の個数を増減することにより長さ変更範囲をさらに拡大できるという利点がある。また、個々の構成部材に分離してしまえば占有スペースが大幅に減少するため、持ち運びしやすくなり、収納スペースも小さくてすむ。
【００２９】
なお、互いに連結・分離可能な複数の構成部材で形成した延長部材においては、連結関係にある構成部材同士を分離したときに前記構成部材同士を繋ぐ柔軟な連結材を設けることが望ましい。ここで、柔軟な連結材とは、例えば、紐材、縄材、線材、ワイヤ材、帯材、鎖材などのように、人間の力程度で比較的自由に曲げたり、延ばしたりすることのできる材料をいう。このような構成とすれば、分離された構成部材が散乱したり、その一部が紛失したりするのを防止できるほか、連結作業を行うときに一つの構成部材を持ち上げれば、次に連結すべき構成部材が連行されてくるため、構成部材を拾い上げたりするなどの手間が省け、作業性が向上する。
【００３０】
一方、前記払拭手段の待避位置を定める拘束手段を設ければ、払拭手段の待避位置を拘束手段で適切に定めることにより、延長部材の基端部側を把持している作業者が取付対象面を見たとき、待避状態にある払拭手段が器具保持部付近の視界を遮るような事態が生じるのを回避することができる。したがって、取付対象面に吊り下げ器具を貼着するときなどに、待避状態にある払拭手段が作業者の視界を遮って位置合わせを妨げるような不都合を解消することができる。
【００３１】
一方、前記払拭手段としては、塵埃吸着機能を有する払拭材と、前記払拭材が着脱可能に係止される払拭材保持部材とを設けることが望ましい。このような構成とすれば、払拭作業の反復によって次第に汚れていく払拭材を適宜交換しながら取付作業を行っていくことができるようになるので、払拭状態の悪化が回避され、接着不良を防止することができる。なお、払拭材としては、ウエス、人工芝材、ポリウレタンフォームなどの発泡合成樹脂、粘着テープ、不織布、ペーパータオル、アルコールなどを含浸させたウェットティッシュなどが好適である。
【００３２】
また、前記器具保持部に保持された吊り下げ器具からの落下物を受け止めるための捕捉部を器具保持部または延長部材に設けることが望ましい。このような構成とすれば、器具保持部に吊り下げ器具を装着した状態で、払拭作業や貼着作業を行っているとき、吊り下げ器具に塗布された接着剤などが落下して、作業者の顔面などに当たったり、床面を汚したりするのを防止することができるため、作業中の安全性の確保、作業環境の向上を図ることができる。
【００３３】
なお、捕捉部材に付着した接着剤などが硬化して除去できなくなるのを回避するため、捕捉部材を接着剤が固着し難い材質で形成したり、捕捉部材の表面にポリテトラフルオロエチレン系樹脂をコーティングしたり、ポリテトラフルオロエチレン系樹脂テープを貼着したりすることが望ましい。また、片面粘着テープのような剥離性のあるフィルム材、シート材あるいはラップ材などを予め捕捉部材の表面に単層または複層状に貼着しておき、フィルム材などの表面に固着した接着剤などがある程度溜まったら、これらのフィルム材などを順番に剥離したり、交換したりできる構造とすることも望ましい。
【００３４】
【発明の実施の形態】
図１は本発明の実施の形態である取付作業用具を吊り下げ器具装着状態で示す一部省略正面図、図２は前記取付作業用具の一部省略側面図、図３は前記取付作業用具の一部省略背面図、図４は前記取付作業用具を構成する払拭部を示す平面図、図５は前記払拭部の一部切欠正面図、図６は図１に示す取付作業用具を構成する吊り下げ器具保持部の平面図である。
【００３５】
また、図７は図６に示す吊り下げ器具保持部に内蔵されたスペーサを示す正面図、図８は図４に示す払拭部にウエスを装着する手順を示す斜視図、図９（ａ）は図１に示す取付作業用具に装着された吊り下げ器具の展開図であり、（ｂ）は前記（ａ）におけるＡ−Ａ線断面図であり、（ｃ）は吊り下げ器具の組立手順を示す図である。
【００３６】
図１〜図６に示すように、本実施形態の取付作業用具２０は、図９に示す吊り下げ器具１の取付作業を行う際に使用するものであり、吊り下げ器具１を取り付ける場所であるデッキプレート２の取付対象面を払拭し、吊り下げ器具１を、払拭後の取付対象面に接着剤（Ａ剤８ａおよびＢ剤８ｂ）および粘着面６ｂを用いて貼着するまでの一連の取付作業を行うことができる。
【００３７】
なお、吊り下げ器具１と、図２０〜図２２で示した吊り下げ器具９１とは吊り下げ部５の構造が異なるのみであり他の部分の構造は共通しているため、同じ機能、効果を発揮する部分については、互いに同じ符号を付している。具体的には、吊り下げ器具１の吊り下げ部５においては、係止孔１０に至るまでの導入経路１１に、折曲部１１ａ、狭隘部１１ｂおよび行き止まり分岐路１１ｃが設けられているのに対し、吊り下げ器具９１の吊り下げ部５においては、係止孔１０および導入経路１１のみが設けられている点において異なっている。
【００３８】
取付作業用具２０は、長さ変更手段であるスライド式伸縮機構を有する延長部材２１と、吊り下げ器具１を着脱可能に保持するため延長部材２１の先端部２１ａに連結部３２を介して連結された器具保持部２２と、取付対象面を払拭するため延長部材２１の器具保持部２２側の延長線２１ｘ上に係脱可能に固定された払拭手段２３と、器具保持部２２に保持された吊り下げ器具１を取付対象面に貼着するとき、その動作を妨げない位置へ払拭手段２３を待避させる待避手段を構成するアーム部材２４などを備えている。後述するように、アーム部材２４は、払拭手段２３を器具保持部２２よりも延長部材２１の基端部２１ｂ寄りの位置へ移動させることができる。
【００３９】
延長部材２１は、円筒状の外装材２１ｃと、外装材２１ｃ中にスライド自在に挿入された内装材２１ｄと、外装材２１ｃと内装材２１ｄとを係脱可能に拘束する締付具２５などで形成されたスライド式伸縮機構を備えている。締付具２５を緩める方向へ回せば内装材２１ｄと外装材２１ｃとの拘束が解除され連続的に伸縮自在となるため、その伸縮可能範囲内で適切な長さにすることができ、締付具２５を逆に回せば内装材２１ｄと外装材２１ｃとが互いに拘束され、延長部材２１はその長さで固定される。
【００４０】
待避手段を構成するアーム部材２４の先端部には払拭手段２３が設けられ、アーム部材２４の基端部は連結部３２および支軸２６を介して延長部材２１の先端部２１ａに旋回可能に軸支されている。また、払拭手段２３が延長部材２１の延長線２１ｘ上に位置した状態でアーム部材２４を係脱可能に固定する係止部材２７が設けられている。
【００４１】
係止部材２７には、アーム部材２３の中央付近が着脱可能に嵌入する凹部２７ａが設けられ、アーム部材２３が凹部２７ａに嵌入することにより、払拭手段２３が延長部材２１の器具保持部２２側の延長線２１ｘ上に位置した状態でアーム部材２４が一時固定される。
【００４２】
図４，図５に示すように、払拭手段２３には、ゴム製の払拭材保持部材２３ａと、これを挟持する２枚のプレート材（固定プレート２３ｃおよび着脱プレート２３ｂ）が設けられている。着脱プレート２３ｂの中央部には開口部２３ｄが設けられ、この開口部２３ｄに、払拭材保持部材２３ａの中央部に形成された十字状のスリット２３ｓが露出した状態となっている。図８に示すように、着脱プレート２３ｂ全体をウエス２８で覆い、スリット２３ｓの上方に位置する部分を手指Ｆで押圧してウエス２８の一部をスリット２３ｓに押し込めば、払拭材保持部材２３ａの弾力性によりウエス２８が係止され、払拭手段２３が形成される。
【００４３】
器具保持部２２は、吊り下げ器具１を一回り大きくした相似形状であって、図６に示すように、上面部２２ａの中央部分に、吊り下げ器具１の固定部６より下方部分が嵌入可能な開口部２２ｂが設けられ、その下方には、吊り下げ器具１の吊り下げ部５を着脱可能に挟持する空隙２２ｃが設けられている。また、図３，図７に示すように、空隙２２ｃの底部には、吊り下げ器具１の吊り下げ部５を嵌入保持するスペーサ２９が配置されている。吊り下げ器具１の吊り下げ部５を下にして、開口部２２ｂから延長部材２１方向へ差し込むと、吊り下げ部５が空隙２２ｃ内に進入し、その中にあるスペーサ２９に嵌入されることよって離脱方向（前記挿入方向と逆方向）以外には動かない状態に挟持される。
【００４４】
ここで、図９を参照して、吊り下げ器具１の構造について詳しく説明する。図９（ａ）に示すように、吊り下げ器具１は、平面状の板材１ａの中央部分に固定部６を設け、この固定部６を挟んだ両端部分に吊り下げ部５を設け、吊り下げ部５に折り曲げ部５ａを設け、固定部６と吊り下げ部５との間にスリット７および折り曲げ部７ａを設けたものを素材としており、このような素材の折り曲げ部５ａを図９（ｂ）に示すように折り曲げた後、図９（ｃ）に示すように折り曲げ部７ａを折り曲げて逆三角形状にすることによって形成されている。
【００４５】
ただし、これらの折り曲げ加工を全て現場作業で行うと、作業者により加工後の形状にばらつきが生じることがあるので、折り曲げ部５ａ部分を図９（ｂ）に示すように、予め折り曲げ加工した状態で施工現場へ搬入することが望ましい。これにより、施工現場では図９（ｃ）に示す折り曲げ加工のみを行えば良いこととなるため、現場作業が省力化されるとともに、形状の均一性を維持することができる。
【００４６】
固定部６には、デッキプレート２の取付対象面に接着剤を介して貼着される接着面６ａと、この接着面６ａの周囲を囲繞するように形成された粘着面６ｂと、接着面６ａと粘着面６ｂとを区画する仕切溝６ｃなどを備え、仕切溝６ｃの底面にはその長手方向に沿って複数の貫通孔６ｄが所定間隔ごとに配列されている。接着面６ａは長方形状であり、仕切溝６ｃは四角枠形状であり、粘着面６ｂは仕切溝６ｃよりも幅広の四角枠形状である。粘着面６ｂには、粘着面６ｂを保護するための離形紙９が貼着されている。これらの接着面６ａおよび粘着面６ｂが、デッキプレート２の取付対象面に対する貼着面となる。
【００４７】
一方、吊り下げ器具１を構成する吊り下げ部５には、ワイヤ３を挿通するための係止孔１０と、外部から係止孔１０にワイヤ３を導入するために係止孔１０と外部とを連通する導入経路１１とを設け、この導入経路１１にはワイヤ３の離脱を防止するための折曲部１１ａ、狭隘部１１ｂおよび行き止まり分岐路１１ｃを設けている。
【００４８】
次に、図１０〜図１４を参照して、取付作業用具２０を用いて吊り下げ器具１をデッキプレート２の下面（取付対象面）に取り付ける場合の作業手順について説明する。
【００４９】
図１０に示すように、収縮させた状態にした延長部材２１の基端部２１ｂを床面３０に当接させ、作業者Ｗが延長部材２１の一部を把持して取付作業用具２０を起立状態に保持する。そして、アーム部材２４を図１０における反時計回りに旋回させてストッパ３１に当接させることにより、払拭手段２３を待避状態にした後、吊り下げ器具１を器具保持部２２に装着すると、吊り下げ器具１の貼着面（接着面６ａおよび粘着面６ｂ）が水平状態に保持される。
【００５０】
取付作業用具２０においては、延長部材２１の収縮動作を完了させた後（最短状態まで収縮させたとき）、延長部材２１の基端部２１ｂを床面３０に当接させた状態で、器具保持部２２に保持された吊り下げ器具１の貼着面（接着面６ａおよび粘着面６ｂ）を水平保持したとき、床面３０から前記貼着面までの距離が１．３７５ｍとなるように設定されている。このため、図１０に示すように、作業者Ｗはそのままの姿勢で顔を下方に若干傾けるだけで前記貼着面を目視することが可能であり、接着剤の塗布作業などを容易に行うことができるため、作業性が向上し、作業者Ｗの肉体的負担も軽減される。
【００５１】
作業者Ｗは、図２１（ａ）〜（ｄ）で示した手順に沿って、接着剤を塗布し、離形紙９を剥がした後、アーム部材２４を図１０における時計回りに旋回させ、アーム部材２４を係止部材２７の凹部２７ａに嵌入させると、払拭手段２３が延長部材２１の器具保持部２２側の延長線２１ｘ上に位置した状態でアーム部材２４が係脱可能に固定される。
【００５２】
これによって、取付作業用具２０の最先端部分に払拭手段が位置した状態となるため、締付具２５を緩め、取付対象面の高さに応じて延長部材２１を適切な長さまで伸ばし、締付具２５を締め付けて固定する。この後、図１１に示すように、延長部材２１の基端部２１ｂ寄りの部分を作業者Ｗが把持して、払拭手段２３をデッキプレート２の取付対象面に当接させる。
【００５３】
そして、作業者Ｗが両手で把持した延長部材２１を動かして払拭手段２３を摺動、回動させれば、脚立などを用いることなく取付対象面の塵埃などを払拭することができる。払拭手段２３は延長部材２１の延長線２１ｘ上に配置されているため、作業者Ｗが延長部材２１に加える力（特に延長部材２１の軸方向の力）を直接的に払拭手段２３に伝えることができ、作業性は良好である。
【００５４】
払拭作業が終了したら、延長部材２１を起立させた状態で、払拭手段２３あるいはアーム部材２４の一部をデッキプレート２などに軽く当接させると、アーム部材２４が係止部材２７の凹部２７ａから離脱し、アーム部材２４が支軸２６を中心に旋回してストッパ３１に当接し、図１２に示すように、払拭手段２３が器具保持部２２よりも延長部材２１の基端部２１ｂ寄りの位置へ移動して待避状態となる。
【００５５】
これにより、器具保持部２２に保持された吊り下げ器具１が取付作業用具２０の最先端部分に位置した状態となるので、作業者Ｗが把持した延長部材２１を持ち上げ、払拭作業が済んだデッキプレート２の取付対象面に吊り下げ器具１を押し付ければ、粘着面６ｂの作用により、吊り下げ器具１がデッキプレート２に貼着される。この後、作業者Ｗが延長部材２１を下降させれば、デッキプレート２に貼着された吊り下げ器具１から器具保持部２２が離脱して、取付作業が完了する。
【００５６】
このように、取付作業用具２０を使用することにより、作業者Ｗが直接手の届かない高い位置への吊り下げ器具１の取付作業を、脚立などを使用することなく、効率的かつ安全に行うことができるようになる。なお、図１１〜図１２では示していないが、吊り下げ器具１の係止孔１０にワイヤ３のリング部３ａを予め係止した状態であっても、取付作業用具２０を用いて、前述と同様の貼着作業を支障なく行うことが可能である。この場合、貼着作業が完了した時点で、図１３に示すように、デッキプレート２に固定された吊り下げ器具１からワイヤ３が垂下した状態となるため、図２２で示した空調用ダクト４の吊り下げ作業を効率化することができる。
【００５７】
取付作業用具２０においては、図１，図１２などに示すように、払拭手段２３の待避位置を定める拘束手段として、アーム部材２４の延長部材２１方向への旋回を一定位置で阻止するためのストッパ３１を設けている。これにより、待避位置にある払拭手段２３は、図１に示すように、延長部材２１から距離Ｓだけ離れた状態に保たれる。したがって、延長部材２１の基端部２１ｂ側を把持している作業者Ｗがデッキプレート２の取付対象面を見たとき、待避位置にある払拭手段２３が器具保持部２２付近の視界を遮ることがなく、貼着作業に伴う吊り下げ器具１の位置合わせも容易である。払拭手段２３が待避位置にあるとき、ウエス２８の払拭面は斜め下方を向いているため、払拭面の汚れ具合を目視で確認することができる。
【００５８】
また、図１４（ａ）に示すように、複数の吊り下げ器具１を用いて空調用ダクト４を吊り下げる場合、デッキプレート２の下面に対し、吊り下げ器具１を前述した手順に従って、図面（図１４）の左側から右側に向かって所定間隔ごとに順番に貼着していくことが望ましい。このような工程をとれば、図面右端の吊り下げ器具１を貼着し終わったとき、最初に貼着した図面左端の吊り下げ器具１は既に固定後３分程度経過した状態にあるので、接着面６ａの接着剤が完全に硬化する前であっても、粘着面６ｂの粘着力と、硬化し始めた接着剤の初期の接着力とを利用して空調用ダクト４の吊り下げ作業を開始することができる。この後は、図１４（ｂ）に示すように、貼着した順番に沿って図面右方に向かってダクト吊り下げ作業を進めることができる。
【００５９】
このように、複数の吊り下げ器具１を用いて空調用ダクト４の吊り下げ作業を行う場合、前述した図１４に示すような工程をとれば、必然的に、一連の吊り下げ器具１の取付作業が一旦完了して接着剤が硬化し始めた後、空調用ダクト４の吊り下げ作業を開始することとなる。したがって、従来の脚立などを用いた取付作業時のように、接着剤が未硬化状態であるにも関わらず、待ちきれずに空調用ダクトを吊り下げてしまったときなどに発生していた接着不良を回避することができる。
【００６０】
また、取付作業中、器具保持部２２に保持された吊り下げ器具１からはみだして落下する接着剤などを捕捉するため、図２，図３に示すように、器具保持部２２には捕捉部２２ｄを設けている。このため、接着剤などが落下して作業者Ｗの顔面などに当たったり、床面３０などを汚すのを防止することができ、作業中の安全性の確保、作業環境の向上を図ることができる。
【００６１】
なお、本実施形態では、延長部材２１の基端部２１ｂから器具保持部２２に保持された吊り下げ器具１の貼着面（接着面６ａおよび粘着面６ｂ）までの長さを延長部材２１のスライド式伸縮機構により１．３７５ｍ〜２．４４５ｍの範囲内で伸縮可能としたところ、図１０で示した準備作業はもとより、図１１で示した払拭作業および図１２で示した取付作業も容易に行うことができ、作業者Ｗの肉体的負担も軽減することができた。
【００６２】
また、延長部材２１を最も伸長させたときの延長部材２１の基端部２１ｂから器具保持部２２に保持された吊り下げ器具１の貼着面（接着面６ａおよび粘着面６ｂ）までの長さは２．４４５ｍであるため、一般的な建築物における吊り下げ部材の取付対象面に到達可能な長さを確保することができ、使用範囲が広く、汎用性に優れている。なお、取付作業用具２０においては、連結部３２から延長部材２１を離脱させることが可能であるため、デッキプレートの高低やその他の施工条件に応じて、延長部材２１の代わりに、これより伸縮範囲の大きい延長部材あるいは小さい延長部材を連結したり、伸縮性のない延長部材を連結したりして使用することもできる。
【００６３】
一方、払拭手段２３は、塵埃吸着機能を有する払拭材であるウエス２８が着脱可能であるため、払拭作業の反復によって次第に汚れていくウエス２８を適宜交換しながら取付作業を行っていくことができ、払拭状態の悪化が回避され、接着不良を防止することができる。
【００６４】
なお、払拭手段としては、ウエス２８を設けたもののほかに、図１５，図１６に示すように人工芝材３５を設けたもの、図１７，図１８に示すように布材４０で被覆したポリウレタンフォーム４１を設けたものとすることもできる。また、図１９に示すように、複数の挟み金具４５，４６およびこれらを開閉する蝶ねじ４７などからなる払拭材保持部材を設け、これらの挟み金具４５，４６との間に適当な払拭材を着脱可能に保持して払拭手段を構成することもできる。
【００６５】
なお、前述したように、図２０〜図２２で示した吊り下げ器具９１の吊り下げ部５においては、図９などで示した吊り下げ器具１の吊り下げ部５に設けられた折曲部１１ａ、狭隘部１１ｂおよび行き止まり分岐路１１ｃを省略し、係止孔１０および導入経路１１のみを設けた構造となっているが、吊り下げ器具１と同様に取付作業用具２０を用いて取付作業を行うことができ、その場合も同様の効果が得られる。
【００６６】
本実施形態の取付作業用具２０を構成する延長部材２１には、その長さ変更手段として、外装材２１ｃ、内装材２１ｄおよび締付具２５などからなるスライド式伸縮機構を設けているがこれに限定するものではない。例えば、その延長方向の長さが変更可能なリンク式伸縮機構を有する延長部材、互いに関節状に折曲・伸展可能に連結された複数の関節部材で形成した延長部材、互いに連結・分離可能な複数の構成部材で形成した延長部材などを用いることも可能である。
【００６７】
【発明の効果】
本発明により、以下に示す効果を奏する。
【００６８】
（１）着脱可能に保持した吊り下げ器具を取付対象面に貼着するための器具保持部と、取付対象面を払拭するための払拭手段とを備えたことにより、払拭作業および貼着作業を連続的に行うことが可能となるため、空調用ダクトなどの吊り下げに用いられる吊り下げ器具の取付作業を効率的かつ安全に行うことができるようになり、取付部分の信頼性も向上する。
【００６９】
（２）器具保持部に保持された吊り下げ器具を取付対象面に貼着するとき、その動作を妨げない位置へ払拭手段を移動させる待避手段を設ければ、払拭作業時は払拭手段を最適な位置に配置しつつ、貼着作業時は、払拭作業を終えた後の払拭手段によって貼着作業が妨げられることがなくなるため、作業性が向上する。
【００７０】
（３）取付対象面に貼着される吊り下げ器具を着脱可能に保持するため棒状または管状の延長部材の先端部に設けられた器具保持部と、取付対象面を払拭するため延長部材または器具保持部に連設され一定位置に係脱可能に固定される払拭手段と、器具保持部に保持された吊り下げ器具を取付対象面に貼着するとき、その動作を妨げない位置へ払拭手段を移動させる待避手段とを備えたことにより、手の届かない高い位置への取付作業を、脚立などを使用することなく、効率的かつ安全に行うことができるようになり、取付部分の信頼性も向上する。
【００７１】
（４）前記払拭手段を係脱可能に固定する一定位置を延長部材の器具保持部材側の延長線上とすることにより、当該取付作業用具の最先端部分に払拭手段が位置した状態となり、作業者が延長部材に加える力を直接的に払拭手段に伝えることができるようになるため、作業性が良好となる。
【００７２】
（５）前記待避手段として、払拭手段を旋回可能に保持するアーム部材と、前記アーム部材を一定位置に係脱可能に固定する一時固定機構とを設けることにより、アーム部材の旋回というシンプルかつ視認容易な動作で払拭手段の待避を行うことが可能となるため、払拭手段の状態を即時に確認することができ、作業性がさらに向上する。
【００７３】
（６）延長部材の延長方向の長さを変更するための長さ変更手段を設けることにより、取付対象面の高低に的確に対応して一連の取付作業を行うことができるようになり、不使用時の収納スペースを減少させることもできるようになる。
【００７４】
（７）前記長さ変更手段の変更動作中または変更動作完了後において、この延長部材の一部を床面に当接させた状態で器具保持部材に保持された吊り下げ部材の貼着面を水平保持したとき、床面から貼着面までの距離が予め設定された特定値となるように長さ変更手段を係脱可能に拘束する定長保持機能を設ければ、前記状態で貼着面を水平保持したときの床面から貼着面までの距離を常に同じ値とすることができるため、貼着面への接着剤塗布作業などにおける良好な作業性を確保することができる。
【００７５】
（８）前記特定値を０．８ｍ〜１．５ｍとすれば、前記状態で吊り下げ部材の貼着面を水平保持したとき、この貼着面が、床面に起立した平均的身長の作業者にとって作業に適切な高さに位置することとなるため、作業性の向上、作業者の肉体的負担の軽減も図ることができ、汎用性も高まる。
【００７６】
（９）前記長さ変更手段として、その延長方向の長さが変更可能なスライド式伸縮機構またはリンク式伸縮機構を有する延長部材を用いることにより、その延長方向の長さ変更が容易となり、連続的な長さの調節も可能であるため、施工現場での使い勝手に優れ、汎用性も良好である。
【００７７】
（１０）前記長さ変更手段として、互いに関節状に折曲・伸展可能に連結された複数の関節部材で形成した延長部材を用いれば、関節状に屈伸させるだけで長さ変更を行うことができるので作業性に優れており、収縮させたときコンパクトになるので、持ち運びしやすい。
【００７８】
（１１）前記長さ変更手段として、互いに連結・分離可能な複数の構成部材で形成した延長部材を用いれば、予め揃えられた構成部材の個数の範囲内での長さ変更ができるだけでなく、構成部材の個数を増減することで、長さ変更範囲をさらに拡大できるという利点があるほか、個々の構成部材に分離すれば占有スペースが大幅に減少するため、持ち運びしやすくなり、収納スペースも小さくてすむ。
【００７９】
（１２）互いに連結・分離可能な複数の構成部材で形成した延長部材において、連結関係にある構成部材同士を分離したときに前記構成部材同士を繋ぐ柔軟な連結材を設ければ、分離された構成部材が散乱したり、その一部が紛失したりするのを防止できるほか、連結作業を行うとき、構成部材を拾い上げたりするなどの手間が省け、作業性が向上する。
【００８０】
（１３）前記払拭手段の待避位置を定める拘束手段を設ければ、拘束手段で拘束位置を適切に定めることにより、延長部材の基端部側を把持している作業者が取付対象面を見たとき、待避状態にある払拭手段が器具保持部付近の視界を遮るような事態が生じるのを回避することができる。
【００８１】
（１４）前記払拭手段として、塵埃吸着機能を有する払拭材と、前記払拭材が着脱可能に係止される払拭材保持部材とを設けることにより、払拭材を適宜交換しながら取付作業を行うことが可能となるので、払拭状態の悪化が回避され、接着不良を防止することができる。
【００８２】
（１５）前記器具保持部に保持された吊り下げ器具からの落下物を受け止めるための捕捉部を器具保持部または延長部材に設けることにより、払拭作業や貼着作業を行っているとき、吊り下げ器具に塗布された接着剤などが落下して、作業者の顔面などに当たったり、床面を汚したりするのを防止することができるため、作業中の安全性の確保、作業環境の向上を図ることができる。
【図面の簡単な説明】
【図１】本発明の実施の形態である取付作業用具を吊り下げ器具装着状態で示す一部省略正面図である。
【図２】図１に示す取付作業用具の一部省略側面図である。
【図３】図１に示す取付作業用具の一部省略背面図である。
【図４】図１に示す取付作業用具を構成する払拭部を示す平面図である。
【図５】図４に示す払拭部の一部切欠正面図である。
【図６】図１に示す取付作業用具を構成する吊り下げ器具保持部の平面図である。
【図７】図６に示す吊り下げ器具保持部に内蔵されたスペーサを示す正面図である。
【図８】図４に示す払拭部にウエスを装着する手順を示す斜視図である。
【図９】（ａ）は図１に示す取付作業用具に装着された吊り下げ器具の展開図であり、（ｂ）は前記（ａ）におけるＡ−Ａ線断面図であり、（ｃ）は吊り下げ器具の組立手順を示す図である。
【図１０】図１に示す取付作業用具に装着した吊り下げ器具に接着剤を塗布している状態を示す図である。
【図１１】図１に示す取付作業用具を用いて払拭作業を行っている状態を示す図である。
【図１２】図１に示す取付作業用具を用いて吊り下げ器具の取付作業を行っている状態を示す図である。
【図１３】吊り下げ器具がデッキプレートに固着された状態を示す図である。
【図１４】ダクトの吊り下げ工事を行う場合の作業手順を示す図である。
【図１５】払拭部のその他の実施の形態を示す平面図である。
【図１６】図１５に示す払拭部の正面図である。
【図１７】払拭部のその他の実施の形態を示す平面図である。
【図１８】図１７に示す払拭部の一部切欠正面図である。
【図１９】（ａ）は払拭部のその他の実施の形態を示す正面図であり、（ｂ）は前記払拭部の側面図である。
【図２０】吊り下げ器具を用いてダクトを吊り下げた状態を示す斜視図である。
【図２１】図２０に示す吊り下げ器具の取付作業手順を示す図である。
【図２２】図２０に示す吊り下げ器具へのダクト吊り下げ手順を示す図である。
【符号の説明】
１  吊り下げ器具
１ａ  板材
２  デッキプレート
３  ワイヤ
３ａ  リング部
４  空調用ダクト
４ａ  取り付け具
５  吊り下げ部
５ａ，７ａ  折り曲げ部
６  固定部
６ａ  接着面
６ｂ  粘着面
６ｃ  仕切溝
６ｄ  貫通孔
６ｅ  ねじ孔
７  スリット
８ａ  Ａ剤
８ｂ  Ｂ剤
９  離形紙
１０  係止孔
１１  導入経路
１１ａ  折曲部
１１ｂ  狭隘部
１１ｃ  行き止まり分岐路
１３  圧着スリーブ
２０  取付作業用具
２１  延長部材
２１ａ  先端部
２１ｂ  基端部
２１ｃ  外装材
２１ｄ  内装材
２１ｘ  延長線
２２  器具保持部
２２ａ  上面部
２２ｂ  開口部
２２ｃ  空隙
２２ｄ  捕捉部
２３  払拭手段
２３ａ  払拭材保持部材
２３ｂ  着脱プレート
２３ｃ  固定プレート
２３ｄ  開口部
２３ｓ  スリット
２４  アーム部材
２５  締付具
２６  支軸
２７  係止部材
２７ａ  凹部
２８  ウエス
２９  スペーサ
３０  床面
３１  ストッパ
３２  連結部
Ｆ  手指
Ｗ  作業者
【図１】
2004236478.tif 000003
【図２】
2004236478.tif 000004
【図３】
2004236478.tif 000005
【図４】
2004236478.tif 000006
【図５】
2004236478.tif 000007
【図６】
2004236478.tif 000008
【図７】
2004236478.tif 000009
【図８】
2004236478.tif 000010
【図９】
2004236478.tif 000011
【図１０】
2004236478.tif 000012
【図１１】
2004236478.tif 000013
【図１２】
2004236478.tif 000014
【図１３】
2004236478.tif 000015
【図１４】
2004236478.tif 000016
【図１５】
2004236478.tif 000017
【図１６】
2004236478.tif 000018
【図１７】
2004236478.tif 000019
【図１８】
2004236478.tif 000020
【図１９】
2004236478.tif 000021
【図２０】
2004236478.tif 000022
【図２１】
2004236478.tif 000023
【図２２】
2004236478.tif 000024